(57)【要約】【課題】  冷凍・空調装置の室外機をフォークリフトにより持ち上げて運搬できるだけでなく、ベルトもしくはロープでも容易に吊り上げることができ、運搬や据付けを容易にできる冷凍・空調装置を得る。【解決手段】  室外機１の下部側面にフォークリフト３の爪３ａを挿入して室外機１を持ち上げ可能なフォーク用穴４を備え、フォーク用穴４の周縁に室外機１を吊り上げるベルト６もしくはロープ９を引掛け可能な溝５を形成した。また、溝５は略角形状もしくは略逆Ｕ字状に形成した。【選択図】  図１
2005265238.tif 000002
【特許請求の範囲】
【請求項１】
室外機の下部側面にフォークリフトの爪を挿入して持ち上げ可能なフォーク用穴を備え、前記フォーク用穴の周縁に前記室外機を吊り上げるベルトもしくはロープを引掛け可能な溝を形成したことを特徴とする冷凍・空調装置。
【請求項２】
前記溝を略角形状に形成したことを特徴とする請求項１に記載の冷凍・空調装置。
【請求項３】
前記溝を略逆Ｕ字状に形成したことを特徴とする請求項１に記載の冷凍・空調装置。
【請求項４】
前記溝の入り口付近を略角形状に形成するとともに、前記溝の深い部分を略逆Ｕ字状に形成したことを特徴とする請求項１に記載の冷凍・空気装置。
【請求項５】
前記溝を前記フォーク用穴の側縁近傍の上縁に形成したことを特徴とする請求項１ないし請求項４のいずれか１項に記載の冷凍・空調装置
【請求項６】
前記溝を前記フォーク用穴の側縁から連続して形成したことを特徴とする請求項５に記載の冷凍・空調装置。
【請求項７】
前記溝を前記フォーク用穴の前記室外機の外殻両端側の側縁近傍に形成したことを特徴とする請求項１ないし請求項６のいずれか１項に記載の冷凍・空調装置。
【発明の詳細な説明】
【技術分野】
【０００１】
この発明は、空調装置や冷凍装置の運搬と据付けに関するものである。
【背景技術】
【０００２】
従来の特に製品質量が重い空調装置の室外機では、製品を搬送する場合、例えばパッケージ型圧縮機のようにフォークリフトのフォーク（爪）を底板の前板と後板にそれぞれ形成されたフォーク用穴に挿入し、パッケージ型圧縮機を持ち上げてフォークリフトにより移動できるようにしていた。（例えば、特許文献１参照）。
また、測定器を吊り下げる場合、専用の吊り金具（吊下げ用フック）を取り付けて、吊り下げて移動させたり測定器本体表面の打ち出しによる通し穴にベルトを通して表面に巻きつけて、ベルトにより吊り下げていた。（例えば、特許文献２参照。）
【０００３】
【特許文献１】特開平５−２３１３２５号公報（第３−４頁、第１図）
【特許文献２】実開平３−５７９７１号公報（第２−４頁、第１図、第４図）
【発明の開示】
【発明が解決しようとする課題】
【０００４】
従来の冷凍・空調装置では、室外機を運搬や据付けのためにフォークリフトで持ち上げられるものはあったが、容易に吊り上げて移動できるものはなく、運搬や据付けが行いにくいという課題があった。また、他の装置の吊り上げる技術としては、専用の吊り金具を設けるものがあったが、専用の吊り金具を設ける余計なコストや取り付ける手間が必要であった。また、他の吊り上げる技術として、表面の打ち出しによる通し穴にベルトを通して表面に巻きつけて、ベルトにより吊り下げる技術があったが、ベルトの移動を防止するためなどから、通し穴の広さはベルトより若干広い程度なので、ベルトを通す作業に時間がかかるという課題があった。
【０００５】
この発明は、上記のような課題を解決するためになされたもので、冷凍・空調装置の室外機をフォークリフトにより持ち上げて運搬できるだけでなく、ベルトもしくはロープでも容易に吊り上げることができ、運搬や据付けを容易にできる冷凍・空調装置を得ることを目的とする。
【課題を解決するための手段】
【０００６】
この発明に係る冷凍・空調装置は、室外機の下部側面にフォークリフトの爪を挿入して持ち上げ可能なフォーク用穴を備え、前記フォーク用穴の周縁に前記室外機を吊り上げるベルトもしくはロープを引掛け可能な溝を形成したものである。
【発明の効果】
【０００７】
この発明に係る冷凍・空調装置は、室外機の下部側面にフォークリフトの爪を挿入して持ち上げ可能なフォーク用穴を備え、前記フォーク用穴の周縁に前記室外機を吊り上げるベルトもしくはロープを引掛け可能な溝を形成したので、室外機をフォークリフトにより持ち上げて運搬できるだけでなく、ベルトもしくはロープでも容易に吊り上げることができ、運搬や据付けを容易にできる冷凍・空調装置を得られる効果がある。
【発明を実施するための最良の形態】
【０００８】
発明の実施形態１．
図１〜図４は、この発明を実施するための実施の形態１における空調装置の室外機を示す図で、図１は室外機の下部を一部切り欠いて示す室外機をベルトで吊り上げて基礎に乗せた状態の斜視図、図２は図１における室外機の据付足部分の要部拡大正面図、図３は図２のベルトを掛けていない状態の据付足部分の要部拡大正面図、図４は図１の室外機をフォークリフトにて持ち上げて運搬している状態の説明側面図である。図において、空調装置（空気調和機）の室外機１は図示しない室内機と接続されて部屋などの空調を行うもので、数十ｋｇから数百ｋｇ程度の重量があり、大形のものでは重量が２００Ｋｇを越える重いものも多い。室外機１の底部の前後にそれぞれ形成した据付足２は、この実施の形態では鋼板部材より成り、前後ほぼ対象形状に形成している。
【０００９】
この前後の据付足２にはそれぞれ左右両側に運搬用のフォークリフト３の爪３ａを挿入して室外機１を持ち上げ可能なフォーク用穴４を開設している。このフォーク用穴４は図３等に点線で示すように、穴の周囲にそれぞれ内向きにフランジを形成して強度を向上させている。また、図３のＡ寸法に示すフォーク用穴４の幅寸法は、フォークリフト３の爪３ａを挿入しやすいように、爪３ａの幅よりできるだけ広くすることが望ましいが、広すぎると爪３ａを挿入する位置を決めるのに若干時間がかかることもあり、室外機１の外殻の大きさや据付足２の強度等により適宜適切な寸法に決めるものであるが、一例としてフォーク用穴４の幅寸法Ａを１８０ｍｍ程度とした。また、爪３ａの幅の一例としては幅１１０ｍｍ程度のものがあり、この場合の爪３ａとフォーク用穴４の隙間は７０ｍｍ程度になる。
【００１０】
また、図３のＢ寸法に示すフォーク用穴４の高さ寸法は、フォークリフト３の爪３ａを挿入しやすいように、爪３ａの厚さよりできるだけ広くすることが望ましいが、室外機１の外殻の大きさや据付足２の構成等により適宜決められるものであり、一例として高さ寸法Ｂを６０ｍｍ程度とした。また、爪３ａの厚さは一例として根元部分で４０ｍｍ程度の厚さのものがあった。
【００１１】
そして、フォーク用穴４の上縁４ａには上縁４ａの一部をさらに上方へ凹ませた溝５を形成し、この溝５により室外機１を吊り上げるためのベルト６が引掛けられるようにしている。この実施の形態では、溝５の形状を図３の幅Ｃ寸法と深さＤ寸法の略角形状に形成し、また、溝５をフォーク用穴４の室外機１の外殻両端側の側縁４ｂから連続して一連に形成しており、つまり、溝５をフォーク用穴４の室外機１の外殻両端側の側縁４ｂ近傍の上辺４ａに形成している。
【００１２】
ベルト６の幅は一例であるが、市販のもので２５ｍｍ幅から１５０ｍｍ幅程度のものもあり、２５ｍｍ幅のものでも、８００ｋｇの重量を吊り上げ可能な性能のものもあった。この溝５の幅寸法である図３のＣ寸法は、室外機１の重量や外殻構造の条件により適宜適切な寸法に決めればよいもので、想定される吊り上げベルト６の幅と同程度か若干広い程度の幅にすることが望ましく、一例として５０ｍｍ程度の幅とした。また、溝５の深さ寸法である図３のＤ寸法は一例であるが１０ｍｍ程度の深さで十分にベルト６を掛けることができた。
【００１３】
そして、それぞれの溝５に掛けた吊りベルト６をクレーン（図示せず）のフック７等に掛けてクレーン等で吊り上げることで、従来のような専用の吊り金具を設けなくても室外機１を吊り上げて運ぶことができるようにしている。また、室外機１は据付足２をコンクリートなどで形成される基礎８に固定してビルの屋上などに据付けられる。
【００１４】
次に、室外機１をフォークリフト３で運ぶ場合の動作について説明する。室外機１を据付る場合など、左右のフォーク用穴４にフォークリフト３の爪３ａをそれぞれ通し、フォークリフト３により室外機１を持ち上げて運搬する。このときフォークリフト４以外にフォーク用穴４を利用してフォークリフト３の爪３ａの部分のみの形状を有するようなハンドリフト（図示せず）など別の手段により持ち上げて運搬してもよい。
【００１５】
次に、室外機１を吊り上げる動作について説明する。空調装置の室外機１はビルの屋上やベランダなどに設置されることも多く、このような場合などクレーン等で吊り上げて移動させることが必要なケースも多い。この場合例えば図１に示すように。２本のベルト６をフォーク用穴４にそれぞれ通し、周縁に形成した溝５にベルト６を掛けて、そのベルト６のそれぞれ両端をクレーンのフック７に掛けて室外機１を吊り上げて移動させる。そして、基礎８の上等に乗せて図示しないアンカーボルト等で基礎８に固定し、据付けるようにしている。
【００１６】
このベルト６をフォーク用穴４に通す時、フォーク用穴４はベルト６よりかなり広い穴なので、ベルト６を通すのが簡単であり、また、ベルト６は溝５によりすばやく位置が決められて引掛けられるので、溝５がベルト６のストッパーとなり、フォーク用穴４内での幅方向への移動が防止される。
【００１７】
ベルト６で室外機１を吊り上げる手段としてはフォーク用穴４とは別の位置にベルト６を掛ける穴を設けることも考えられるが、その場合、ベルト６の移動を防止するために小さい穴にする必要が生じ、ベルト６を掛ける作業に手間が掛かり、また、単独で穴を開けるスペースや加工が必要になる。また、フォーク用穴４に溝５を形成しないでベルト６を掛けて持ち上げることも考えられるが、この場合、幅の広いフォーク用穴内でベルト６を掛ける位置を決めるのに時間がかかり、また、ベルト６が移動しないようにゆっくりと吊り上げるなど、吊り上げ作業に時間がかかることになる。
【００１８】
このため、本実施の形態ではフォーク用穴４の周縁の一部に溝５を形成することで、簡単に、かつ容易にベルト６を溝５に掛けて室外機１を吊り上げることが可能になり、また、溝５により、ベルト６の移動が防止されるので、吊り上げを容易に、かつ、短時間で行うことができるようになる。また、ベルト６を掛けるためにフォーク用穴４の一部を溝５に利用するだけなので、ベルト６を掛けるために室外機１にベルト６を掛けるための専用の穴を設けるスペースが不要で加工も簡単であるという効果がある。
【００１９】
また、溝５はフォーク用穴４の上縁４ａのどの位置にあってもベルト６を引掛かけることができるが、この実施の形態ではフォーク用穴４の側縁４ｂから連続して形成している。つまり、溝５を側縁４ｂの近傍に形成しているので、ベルト６をフォーク用穴４に容易に通してから溝５に掛ける際、ベルト６を側縁４ｂに沿わせるだけでベルト６が案内されて溝５に掛けることができ、ベルト６をさらに溝５に掛けやすいという効果がある。また、溝５を側縁４ｂから連続して形成しているので、溝５を形成するための抜き型（図示せず）の形状も複雑にならず、型の強度を強い形状で安価に作ることもでき、安価に溝５を形成できる効果もある。
【００２０】
また、溝５を室外機１の外殻両端側の側縁４ｂ側にそれぞれ形成しているので、両側のベルト６の室外機１に掛かる幅が広くなるので、室外機１をさらに安定して吊り上げることが可能になるという効果もある。
【００２１】
また、この実施の形態では、溝５に後述のロープ９等を掛けることも可能ではあるが、溝５の形状を幅Ｃ寸法と深さＤ寸法の略角形状に形成しているので、特にベルト６の形状にフィットし、ベルト６がより確実に引掛けられるという効果もある。
【００２２】
なお、  上記実施の形態の例では、溝５及びフォーク用穴４の一例の寸法を示したがこれに限定されるものでなく、室外機１の構成や大きさ及び質量などに応じて適宜適切な形状や寸法に決定すればよく、上記実施の形態の例と同様の効果を奏する。例えば、溝５の深さＤ寸法の一例を１０ｍｍとしたが、さらに深くても浅くてもベルト６は引掛かるので、ベルト６の移動が同様に防止される。また、幅Ｃ寸法を５０ｍｍの一例を示したが、ベルト６の幅が例えば５０ｍｍより広い幅で、溝５の幅にベルト６の幅がすべて入りきらずに掛けられても溝５でベルト６は撓んで引掛かるので、ベルト６の移動は同様に防止される。
【００２３】
このように上記の例によれば、室外機１の下部側面にフォークリフト３の爪３ａを挿入して室外機１を持ち上げ可能なフォーク用穴４を備え、フォーク用穴４ａの周縁に室外機１を吊り上げるベルト６を引掛け可能な溝５を形成したので、室外機１をフォークリフト３により持ち上げて運搬できるだけでなく、ベルト６でも容易に吊り上げることができ、運搬や据付けを容易にできる空調装置を得られる効果がある。
【００２４】
また、溝５を略角形状に形成したので、ベルト６がよりしっかりと溝５に掛かるという効果がある。また、溝５をフォーク用穴４の側縁４ｂ近傍の上縁４ａに形成したので、ベルト６が近傍の側縁４ｂに案内されて溝５にさらに掛けやすいという効果もある。
【００２５】
また、溝５をフォーク用穴４の側縁４ｂから連続して形成したので、溝５を作りやすく、溝５を安価に作ることができるという効果もある。また、溝５をフォーク用穴４の室外機１の外殻両端側の側縁４ｂ近傍に形成したので、室外機１に掛かる両側のベルト６の間が広く、室外機１をさらに安定して吊り上げることができるという効果もある。
【００２６】
次に、この発明を実施するための実施の形態１における空調装置の他の例を説明する。図５はこの発明の実施の形態１における空調装置の他の例を示す図２に相当する室外機の据付足部分の要部拡大正面図である。なお、上記の例と同一又は相当部分には同一符号を付し、詳細な説明は省略する。また、記載以外の構造と動作及び効果は上記の例と同じである。上記の例ではベルト６を好適に掛けることができる溝５の形状を示したが、図５に示すように、ロープ９を掛けやすい溝５の形状としてもよい。
【００２７】
図５に示すように、溝５の形状をＵ文字を上下逆さにしたように略逆Ｕ字状に形成している。このようにすると、室外機１を吊り上げる際にロープ９を使用する場合、溝５の形状が吊り上げるためのロープ９の横断面形状と同様に丸い形状のため、ロープ９がよりしっかりと溝５に掛かり、ロープ９のずれが防止され、上記の実施の例のベルト６の場合と同様に、室外機１をロープ９で容易に吊り上げることができる。
【００２８】
この図５の例によれば、室外機１の下部側面にフォークリフト３の爪３ａを挿入して持ち上げ可能なフォーク用穴４を備え、フォーク用穴４ａの周縁に室外機１を吊り上げるベルト６を引掛け可能な溝を形成したので、室外機１をフォークリフト３により持ち上げて運搬できるだけでなく、ロープ９でも容易に吊り上げることができ、運搬や据付けを容易にできる空調装置を得られる効果がある。
【００２９】
また、溝５を略逆Ｕ字形状に形成したので、ロープ９がよりしっかりと溝５に掛かるという効果がある。また、溝５をフォーク用穴４の側縁４ｂ近傍の上辺４ａに形成したので、ロープ９が近傍の側縁４ｂに案内されて溝５に掛けやすいという効果もある。また、溝５をフォーク用穴４の側縁４ｂから連続して形成したので、溝５を作りやすく、溝５を安価に作ることができるという効果もある。また、溝５をフォーク用穴４の室外機１の外殻両端側の側縁４ｂ近傍に形成したので、室外機１に掛かる両側のロープ９の間が広く、室外機１をさらに安定して吊り上げることができるという効果もある。
【００３０】
次に、この発明を実施するための実施の形態１における空調装置の別の例を説明する。図６はこの発明の実施の形態１における空調装置の別の例を示す図３に相当する室外機の据付足部分の要部拡大正面図である。なお、前記の例と同一又は相当部分には同一符号を付し、詳細な説明は省略する。また、記載以外の構造と動作及び効果は前記の例と同じである。前記の例ではベルト６を好適に掛けることができる溝５の形状と、ロープ９を好適に掛けることができる溝５の形状とをそれぞれ示したが、図６に示すように、ベルト６でもロープ９のどちらでも掛けやすい溝５の形状としてもよい。
【００３１】
図６に示すように、溝５の形状を、溝５の入り口付近５ａを略角形状に形成するとともに、溝５の深い部分５ｂを略逆Ｕ字状に形成している。このようにすると、ベルト６で室外機１を吊り上げる場合は溝５の入り口付近５ａの略角形状の部分に掛けて室外機１を吊り上げることができ、また、ロープ９を使用して吊り上げる場合は、溝５深い部分５ｂの略逆Ｕ字状の部分にロープ９をしっかりと掛けて室外機１を吊り上げることができ、ベルト６でもロープ９のどちらでも室外機１を容易に吊り上げられるものが得られる効果がある。
【００３２】
また、前記の例で溝５をフォーク用穴４の側縁４ｂから連続して形成し、ベルト６もしくロープ９が側縁４ｂに案内されて溝５に引掛けやすいものを示したが、側縁４ｂの近傍であれば溝５を側縁４ｂから少し離れた位置に形成しても同様に側縁４ｂに案内されて溝５に掛けやすい効果が得られる。また、さらに溝５の位置を側縁４ｂから離れて形成して、例えば溝５をフォーク用穴４の幅の中心付近に設けるなどでも、室外機１をバランスよく吊り上げられる位置であればフォーク用穴４のどの位置に形成してもよい。ベルト６やロープ９の幅より広いフォーク用穴４により、ベルト６やロープ９が通しやすく、かつ溝５によりベルト６やロープ９を引掛ける位置が容易に決められ、また、ベルト６やロープ９のずれが防止されて、室外機１を容易に吊り上げられる効果は同様に得られる。また、溝５の形状も上記の例の他、ベルト６やロープ９を引掛けやすい形状であれば、多少形状が異なってもほぼ同様の効果が得られるものである。
【００３３】
また、前記の例では、フォーク用穴４の形状を両側でほぼ対象形状の例を示したが、フォーク用穴４の形状や位置は室外機１をフォークリフト３やベルト６等で持ち上げるときに室外機１をバランスよく持ち上げることができる位置や形状であれば、どのような位置や形状であってもよいし、また、前記の例では、室外機１の前後面の下部に形成された取付足２にフォーク用穴４を開設して、フォーク用穴４を室外機１の下部側面の内の前後面に設けたが、据付足２の形状や構成の違いなど室外機１の構成の違いによって適宜位置や形状を変えてもよく、例えば室外機１の左右側面にフォーク用穴４を設けたものであってもよいし、また、室外機１の前後及び左右のそれぞれ下部側面にフォーク用穴を設けたものであってもよい。
【００３４】
また、前記の実施の形態では空調装置（空気調和機）の室外機１について説明したが、冷凍装置の室外機も構造は基本的に似通っており、空調装置の室外機１に比べてビルの屋上やベランダ等に据付けるケースは若干少ないなど、吊り上げるケースは若干少くないが、冷凍装置の室外機に前記の実施の形態と同様の溝５を有するフォーク用穴４を備えればほぼ同様の効果が得られる。
【００３５】
この発明の冷凍・空調装置は、室外機１の下部側面にフォークリフト３の爪３ａを挿入して持ち上げ可能なフォーク用穴４を備え、フォーク用穴４の周縁に室外機１を吊り上げるベルト６もしくはロープ９を引掛け可能な溝５を形成したので、室外機１をフォークリフト３により持ち上げて運搬できるだけでなく、ベルト６もしくはロープ９でも容易に吊り上げることができ、運搬や据付けを容易にできる冷凍・空調装置を得られる効果がある。
【００３６】
また、さらに、溝５を略角形状に形成したので、ベルト６がよりしっかりと溝５に掛かるという効果がある。
【００３７】
また、さらに、溝５を略逆Ｕ字状に形成したので、ロープ９がよりしっかりと溝５に掛かるという効果がある。
【００３８】
また、さらに、溝５の入り口付近５ａを略角形状に形成するとともに、溝５の深い部分５ｂを略逆Ｕ字状に形成したので、ベルト６もしくはロープ９のどちらでもよりしっかりと溝５に掛かるという効果がある。
【００３９】
また、さらに、溝５をフォーク用穴４の側縁４ｂ近傍の上縁４ａに形成したので、ベルト６もしくはロープ９が近傍の側縁４ｂに案内されて溝５にさらに掛けやすいという効果もある。
【００４０】
また、さらに、溝５をフォーク用穴４の側縁４ｂから連続して形成したので、溝５を作りやすく、溝５を安価に作ることができるという効果もある。
【００４１】
また、さらに、記溝５をフォーク用穴４の室外機１の外殻両端側の側縁４ｂ近傍に形成したので、室外機１に掛かる両側のベルト６もしくはロープ９の間が広く、室外機１をさらに安定して吊り上げることができるという効果もある。
【図面の簡単な説明】
【００４２】
【図１】この発明の実施の形態１の空調装置の室外機の下部を一部切り欠いて示す室外機をベルトで吊り上げて基礎に乗せた状態の斜視図である。
【図２】この発明の実施の形態１を示す図１における室外機の据付足部分の要部拡大正面図である。
【図３】この発明の実施の形態１を示す図２のベルトを掛けていない状態の室外機の据付足部分の要部拡大正面図である。
【図４】この発明の実施の形態１を示す図１の室外機をフォークリフトにて持ち上げて運搬している状態の説明側面図である。
【図５】この発明の実施の形態１の他の例を示す図２に相当する室外機の据付足部分の要部拡大正面図である。
【図６】この発明の実施の形態１の別の例を示す図３に相当する室外機の据付足部分の要部拡大正面図である。
【符号の説明】
【００４３】
１  空調装置の室外機、２  据付足、３  フォークリフト、３ａ  爪、４  フォーク用穴、４ａ  上縁、４ｂ  側縁、５  溝、５ａ  入り口付近、５ｂ  深い部分、６  ベルト、７  クレーンのフック、８  基礎、９  ロープ。
【図１】
2005265238.tif 000003
【図２】
2005265238.tif 000004
【図３】
2005265238.tif 000005
【図４】
2005265238.tif 000006
【図５】
2005265238.tif 000007
【図６】
2005265238.tif 000008